(57)【要約】【課題】指挟みを防ぐことができ、しかも、それを製作容易でかつ低コストにて実現することができ、また、戸板の開き角度を大きく確保することも可能な指挟み防止開き戸構造を提供する。【解決手段】戸板１が、その開閉回転中心位置２を戸板１の開閉回転中心側の側縁部内に位置させるように設置され、戸板１と開閉回転中心側において隣接する縦枠３に、戸板１の開閉動作において戸板１と縦枠３との間に指を巻き込んで挟んでしまうのを防ぐ、縦枠３とは別体の、閉じ側指挟み防止材４と開き側指挟み防止材５とが取り付けられている。開き側指挟み防止材５は変形・復元可能な弾性材からなり、戸板１を開いていく過程で変形することによって、戸板１の開き角度が大きく確保されるようになされている。【選択図】      図１
2007177513.tif 000002
【特許請求の範囲】
【請求項１】
戸板が、その開閉回転中心位置を戸板の開閉回転中心側の側縁部内に位置させるように設置され、
戸板と開閉回転中心側において隣接する縦枠に、戸板の開から閉への動作において戸板と縦枠との間に指を巻き込んで挟んでしまうのを防ぐ、縦枠とは別体の閉じ側指挟み防止材が取り付けられていることを特徴とする指挟み防止開き戸構造。
【請求項２】
戸板が、その開閉回転中心位置を戸板の開閉回転中心側の側縁部内に位置させるように設置され、
戸板と開閉回転中心側において隣接する縦枠に、戸板の閉から開への動作において戸板と縦枠との間に指を巻き込んで挟んでしまうのを防ぐ、縦枠とは別体の開き側指挟み防止材が取り付けられていることを特徴とする指挟み防止開き戸構造。
【請求項３】
前記開き側指挟み防止材が変形・復元可能な弾性材からなり、戸板を開いていく過程で該弾性材が変形することによって、戸板の開き角度が大きく確保されるようになされている請求項２に記載の指挟み防止開き戸構造。
【発明の詳細な説明】
【技術分野】
【０００１】
本発明は、指挟み防止開き戸構造に関する。
【背景技術】
【０００２】
開き戸構造として、従来より、図２（イ）に示すように、戸板５１と縦枠５２とを丁番５３で開閉回転可能に枢着した開き戸構造は、従来より提供されている。
【０００３】
ところが、この構造では、戸板５１が開から閉に回転していく過程で、丁番５３の羽根５３ａ，５３ａ間や、戸板５１と縦枠５２との間に、指を挟んで怪我をしてしまうおそれがある。
【０００４】
そのため、図２（ロ）に示すように、戸板５１を、その開閉回転中心位置５４が戸板５１の開閉回転中心側の側縁部内に位置するように設置し、縦枠５２に、戸板５１の開から閉への動作、及び、閉から開への動作において戸板５１と縦枠５２との間に指を巻き込んで挟んでしまうのを防ぐ、縦枠５２と一体の、閉じ側指挟み防止部５２ａと開き側指挟み防止部５２ｂとを備えさせたものも提供されている。
【発明の開示】
【発明が解決しようとする課題】
【０００５】
しかしながら、そのような構造では、閉じ側指挟み防止部５２ａや開き側指挟み防止部５２ｂが縦枠５２に一体成形されているため、縦枠５２の製作が難しく、コストが高くついてしまうという問題がある。
【０００６】
また、開き側指挟み防止部５２ｂの存在によって、戸板５１の開き角度が小さく制限されてしまうという問題もある。
【０００７】
本発明は、上記のような問題点に鑑み、指挟みを防ぐことができ、しかも、それを製作容易でかつ低コストにて実現することができ、また、戸板の開き角度を大きく確保することも可能な指挟み防止開き戸構造を提供することを課題とする。
【課題を解決するための手段】
【０００８】
上記の課題は、戸板が、その開閉回転中心位置を戸板の開閉回転中心側の側縁部内に位置させるように設置され、
戸板と開閉回転中心側において隣接する縦枠に、戸板の開から閉への動作において戸板と縦枠との間に指を巻き込んで挟んでしまうのを防ぐ、縦枠とは別体の閉じ側指挟み防止材が取り付けられていることを特徴とする指挟み防止開き戸構造によって解決される（第１発明）。
【０００９】
この構造では、閉じ側指挟み防止材が備えられていることにより、戸板の開から閉への動作において戸板と縦枠との間に指を巻き込んで挟んでしまうのを防ぐことができる。
【００１０】
しかも、閉じ側指挟み防止材は、縦枠とは別体のものからなり、縦枠に取り付けられて備えられているので、縦枠の形態を単純化することができて、その製作コストを低く抑えることができる。
【００１１】
また、上記の課題は、戸板が、その開閉回転中心位置を戸板の開閉回転中心側の側縁部内に位置させるように設置され、
戸板と開閉回転中心側において隣接する縦枠に、戸板の閉から開への動作において戸板と縦枠との間に指を巻き込んで挟んでしまうのを防ぐ、縦枠とは別体の開き側指挟み防止材が取り付けられていることを特徴とする指挟み防止開き戸構造によって解決される（第２発明）。
【００１２】
この構造では、開き側指挟み防止材が備えられていることにより、戸板の閉から開への動作において戸板と縦枠との間に指を巻き込んで挟んでしまうのを防ぐことができる。
【００１３】
しかも、開き側指挟み防止材は、同様に縦枠とは別体のものからなり、縦枠に取り付けられて備えられているので、縦枠の形態を単純化することができて、その製作コストを低く抑えることができる。
【００１４】
第２発明の構造において、開き側指挟み防止材が変形・復元可能な弾性材からなり、戸板を開いていく過程で該弾性材が変形することによって、戸板の開き角度が大きく確保されるようになされているとよい（第３発明）。
【００１５】
この構造では、開き側指挟み防止材によって、戸板の閉から開への動作において戸板と縦枠との間に指を巻き込んで挟んでしまうのを防ぐことができるものでありながら、開き側指挟み防止材の有する変形・復元可能な弾力性によって、戸板の開き角度を大きく確保することができる。
【発明の効果】
【００１６】
本発明は、以上のとおりのものであるから、指挟みを防ぐことができ、しかも、それを製作容易でかつ低コストにて実現することができる。また、戸板の開き角度を大きく確保することも可能である。
【発明を実施するための最良の形態】
【００１７】
次に、本発明の実施最良形態を図面に基づいて説明する。
【００１８】
図１（イ）に示す第１実施形態の開き戸構造において、戸板１は、その開閉回転中心側の側縁部の外周形状が平面視円弧状をして、開閉回転中心位置２を、戸板１の側縁部内、具体的には側縁部の円弧の中心位置ないしはその近傍位置に位置させるように設置されて、開閉されるようになされている。
【００１９】
そして、戸板１と開閉回転中心側において隣接する縦枠３に、戸板１の開から閉への動作において戸板１と縦枠３との間に指を巻き込んで挟んでしまうのを防ぐ、縦枠３とは別体の閉じ側指挟み防止材４が取り付けられている。該閉じ側指挟み防止材４は縦枠３と同じ硬質の材料からなっていてよい。
【００２０】
更に、縦枠３には、戸板１の閉から開への動作において戸板１と縦枠３との間に指を巻き込んで挟んでしまうのを防ぐ、縦枠３とは別体の開き側指挟み防止材５が取り付けられている。
【００２１】
該開き側指挟み防止材５は、変形・復元可能な中空の弾性材、例えば中空ゴム材などからなっていて、戸板１を開いていく過程で、該開き側指挟み防止材が潰されるように弾性変形をすることによって、戸板１の開き角度が大きく確保されるようになされている。
【００２２】
上記の指挟み防止開き戸構造では、閉じ側指挟み防止材４が備えられていることにより、戸板１の開から閉への動作において戸板１と縦枠３との間に指を巻き込んで挟んでしまうのを防ぐことができると共に、開き側指挟み防止材５が備えられていることにより、戸板１の閉から開への動作において戸板１と縦枠３との間に指を巻き込んで挟んでしまうのを防ぐことができる。
【００２３】
しかも、閉じ側指挟み防止材４と開き側指挟み防止材５は、縦枠３とは別体のものからなり、縦枠３に取り付けられて備えられているので、縦枠３の形態を単純化することができて、その製作コストを低く抑えることができる。
【００２４】
加えて、開き側指挟み防止材５が、変形・復元可能な弾性材からなっていることにより、開き側指挟み防止材５の有する変形・復元可能な弾力性によって、戸板１の開き角度を大きく確保することができる。
【００２５】
図１（ロ）に示す第２実施形態の指挟み防止開き戸構造は、開き側指挟み防止材５としてゴム材などからなる中実の弾性材を用いた場合のものであり、開き側指挟み防止材５としては、変形・復元可能で指挟み防止機能を奏する各種材質、形態の弾性材が用いられてよい。
【００２６】
以上に、本発明の実施形態を示したが、本発明はこれに限られるものではなく、発明思想を逸脱しない範囲で各種の変更が可能である。例えば、上記の実施形態では、閉じ側と開き側のそれぞれに指挟み防止材４，５を取り付けた場合を示したが、いずれか一方が取り付けられていればよい。即ち、そもそも開き側において指挟み防止材を備えさせなくても指を挟まない場合は、開き側指挟み防止材は不要であるし、開き側において指を挟むような場合であっても、他の指挟み防止手段が備えられたものであってもよい。閉じ側についても同様である。
【００２７】
また、上記の実施形態では、開き側指挟み防止材が、弾性材からなる場合を示したが、縦枠３等と同じ硬質材からなっていてもよい。
【図面の簡単な説明】
【００２８】
【図１】図（イ）は第１実施形態の指挟み防止開き戸構造を示す断面平面図、図（ロ）は第２実施形態の指挟み防止開き戸構造を示す断面平面図である。
【図２】図（イ）及び図（ロ）はそれぞれ、従来の開き戸構造を示す断面平面図である。
【符号の説明】
【００２９】
１…戸板
２…開閉回転中心位置
３…縦枠
４…閉じ側指挟み防止材
５…開き側指挟み防止材
【図１】
2007177513.tif 000003
【図２】
2007177513.tif 000004